(57)【要約】      （修正有）【課題】着用者の股や脚の内側が濡れにくく、軽量で作業性に優れた作業用エプロンを提供する。【解決手段】胸覆い部１の下方に両側に分かれて脚覆い部２，３が形成される。胸覆い部１と脚覆い部２，３には防水処理が施される。胸覆い部１の上部両側に接続した吊紐４、５を、胸覆い部１の下部両側に取着した留め輪６，７に通して吊紐４，５の両側を結び、両側の脚覆い部２，３は着用者の脚に巻き付け、ベルト９により止めて装着する。両側の脚覆い部２，３は胸覆い部１の下端部に重ね合わせ部２３を設けて縫着される。胸覆い部１の下端部に前掛け部１０が、少なくとも両側の脚覆い部２，３の重ね合わせ部２３を前側から覆って縫着される。【選択図】図１
0003173959.tif 000002
【実用新案登録請求の範囲】
【請求項１】
胸覆い部の下方に両側に分かれて脚覆い部が形成され、該胸覆い部と脚覆い部には防水処理が施され、胸覆い部の上部両側に接続した吊紐を、該胸覆い部の下部両側に取着した留め輪に通して該吊紐の両側を結び、両側の脚覆い部は着用者の脚に巻き付け、ベルトにより止めて装着する洗浄作業用の作業用エプロンにおいて、
該吊紐は該胸覆い部の上部の両側裏面に縫着された補強布の部分に縫着され、該留め輪は該胸覆い部の下部の両端裏面に縫着された補強布の部分に縫着され、
該両側の脚覆い部は胸覆い部の下端部に重ね合わせ部を設けて縫着され、該胸覆い部の下端部に前掛け部が、少なくとも該両側の脚覆い部の重ね合わせ部を前側から覆って縫着され、該脚覆い部はカバー部の下側に幅広の巻き付け部を延設して形成され、該カバー部の内側縁部から該巻き付け部の内側縁部にかけて円弧カット部が形成され、
該前掛け部は該胸覆い部の下端部の幅の少なくとも半分を超える幅を有して形成され、該前掛け部の長さは、該前掛け部が前記円弧カット部を覆う程度の長さとされ、該両側の各脚覆い部を止めるためのベルトは、各々２本のベルトからなり、１本のベルトが各脚覆い部の前記円弧カット部の真下に縫着され、他の１本のベルトが前記巻き付け部の下部付近に縫着されたことを特徴とする作業用エプロン。
【考案の詳細な説明】
【技術分野】
【０００１】
本考案は、食品を加工する食品加工場或いは給食を調理する給食用厨房等で作業する作業者が着用する防水性を有した作業用エプロンに関する。
【背景技術】
【０００２】
例えば、食品を加工する食品加工工場において、大型のタンクの内部を洗浄する場合、作業者が作業用エプロンを着用してタンク内に入り、タンク内の梯子を上り下りしながら、タンクの壁面に洗浄水を吹き付けて、洗浄する作業がある。
【０００３】
このような洗浄作業を行なう際は、作業者の身体に洗浄水がかかりやすく、また、作業者は梯子を上り下りしながら作業を行なうため、作業着は防水性があり、動きやすく、着脱の容易であることが必要となる。このため、作業者は、防水処理を施した作業用エプロンを着用して、下半身などが濡れないように、タンク内の洗浄作業を行なっている。作業用エプロンは、ズボン式の防水作業着と比較して、比較的容易に着脱することができるなど、使用し易さがあり、作業者には使いやすい作業着となっている。
【０００４】
ところで、本出願人は、下記特許文献１において、病人や老人が入浴する際に、介護者が濡れないようにするために着用する作業用エプロンを提案した。この作業用エプロンは、防水処理を施した胸覆い部の下方に足覆い部が両側に分かれて形成され、両側の足覆い部は着用者の脚部に巻き付け、ベルトにより止めて装着するように形成されている。
【先行技術文献】
【特許文献】
【０００５】
【特許文献１】特開２０００−３２８３２７号公報
【考案の概要】
【考案が解決しようとする課題】
【０００６】
この従来の作業用エプロンは、胸覆い部の下方に両側に分かれて足覆い部が形成され、両側の足覆い部は着用者の脚部に巻き付け、ベルトにより止めて装着するため、着用者はその脚を動かしやすく、且つ脚を濡らさないように作業を行なうことができるものの、洗浄水などが周囲にひどく飛び散る作業現場においては、胸覆い部の下側に続く両側の足覆い部が両側に分かれて形成されているため、胸覆い部から伝って下に流れる水滴が、分離された足覆い部の内側に侵入しやすく、作業者の股の部分や脚部の内側が濡れやすいという課題があった。
【０００７】
本考案は、上記の点に鑑みてなされたもので、股や脚部の内側が濡れにくく、軽量で作業性に優れた作業用エプロンを提供することを目的とする。
【課題を解決するための手段】
【０００８】
本考案に係る作業用エプロンは、胸覆い部の下方に両側に分かれて脚覆い部が形成され、該胸覆い部と脚覆い部には防水処理が施され、胸覆い部の上部両側に接続した吊紐を、該胸覆い部の下部両側に取着した留め輪に通して該吊紐の両側を結び、両側の脚覆い部は着用者の脚に巻き付け、ベルトにより止めて装着する洗浄作業用の作業用エプロンにおいて、
該吊紐は該胸覆い部の上部の両側裏面に縫着された補強布の部分に縫着され、該留め輪は該胸覆い部の下部の両端裏面に縫着された補強布の部分に縫着され、
該両側の脚覆い部は胸覆い部の下端部に重ね合わせ部を設けて縫着され、該胸覆い部の下端部に前掛け部が、少なくとも該両側の脚覆い部の重ね合わせ部を前側から覆って縫着され、該脚覆い部はカバー部の下側に幅広の巻き付け部を延設して形成され、該カバー部の内側縁部から該巻き付け部の内側縁部にかけて円弧カット部が形成され、
該前掛け部は該胸覆い部の下端部の幅の少なくとも半分を超える幅を有して形成され、該前掛け部の長さは、該前掛け部が前記円弧カット部を覆う程度の長さとされ、該両側の各脚覆い部を止めるためのベルトは、各々２本のベルトからなり、１本のベルトが各脚覆い部の前記円弧カット部の真下に縫着され、他の１本のベルトが前記巻き付け部の下部付近に縫着されたことを特徴とする。
【考案の効果】
【０００９】
上記構成の作業用エプロンは、例えば、食品加工場の大型タンク内で、タンクの壁面を洗浄する洗浄作業の際、作業者が着用して使用される。作業用エプロンを着用する際、胸覆い部の上部両側に接続した吊紐を、肩にかけながら、胸覆い部の下部両側に取着した留め輪に通して、吊紐の両側を結ぶ。さらに、両側の脚覆い部は着用者の脚部に巻き付け、脚覆い部の下部の巻き付け部は、ベルトにより止めて、作業着の上からでも作業用エプロンは容易に装着することができる。
【００１０】
例えば、大型タンクの内壁を洗浄水で洗浄する作業は、作業者が梯子を上り下りしながら行われるが、エプロン下部の脚覆い部が使用者の脚部に巻き付くように装着されるため、梯子の上り下りの際、エプロンの縁部が捲れたり、引っかかることなく、良好な作業性で洗浄作業を行うことができる。
【００１１】
また、胸覆い部の下端部には、前掛け部が、少なくとも両側の脚覆い部の重ね合わせ部を前側から覆うように縫着されているため、胸覆い部から伝わった水滴が、脚覆い部の重ね合わせ部の縁部から、分離された脚覆い部の内側に侵入することがなく、使用者の股の部分や脚部の内側をぬらさずに、洗浄作業を行うことができる。
【００１２】
また、上記脚覆い部はカバー部の下側に幅広の巻き付け部を延設して形成し、カバー部の内側縁部から巻き付け部の内側縁部にかけて円弧カット部を形成するので、脚覆い部の上部のカバー部を使用者の脚部に巻きつけて着用しても、脚が動きやすく、使用者はもたつき感を感じずに作業を行うことができる。
【００１３】
また、上記前掛け部は、上記胸覆い部の下端部の幅の少なくとも半分を超える幅を有して形成され、前掛け部の長さは、該前掛け部が上記円弧カット部を覆う程度の長さとされるので、前掛け部による重量の増加を最小に抑えながら、股や脚部内側の濡れを効果的に防止することができる。
【００１４】
また、上記両側の脚覆い部を止めるための各ベルトは、１本を各脚覆い部の円弧カット部の真下に縫着し、さらに１本を上記巻き付け部の下部付近に縫着するので、カバー部と巻き付け部の両方を使用者の脚部に確実に巻き付けることができる。
【図面の簡単な説明】
【００１５】
【図１】図１は本考案の一実施形態を示す作業用エプロンの正面図である。
【図２】同作業用エプロンの前掛け部と脚覆い部の一部を捲った状態の正面図である。
【図３】同作業用エプロンの背面図である。
【図４】使用形態を示す着用状態の背面図である。
【図５】巻き付け部の止め状態を示す背面図である。
【図６】使用形態を示す着用状態の正面図である。
【考案を実施するための形態】
【００１６】
以下、本考案の一実施形態を図面に基づいて説明する。図１は作業用エプロンの正面図を示し、図２は前掛け部１０とその左の脚覆い部３を捲り上げた状態の正面図を示し、図３はその背面図を示している。なお、この明細書で、エプロンの右とはエプロンを着用した人の右を示し、左とはエプロンを着用した人の左を示す。
【００１７】
この作業用エプロンは、胸覆い部１の下側に、脚覆い部２，３が左右両側に分かれて形成され、その左右の脚覆い部２，３の重ね合わせ部２３を前から覆うように、前掛け部１０が縫着されている。胸覆い部１の上部に２本の吊紐４，５が接続され、その吊紐４，５を、胸覆い部１の下部両側に取着した留め輪６，７に通して吊紐４，５の両側を結ぶ。そして、両側の脚覆い部２，３は着用者の脚に巻き付け、ベルト８．９によりその脚覆い部２，３を止めて装着するようになっている。
【００１８】
胸覆い部１、脚覆い部２，３、及び前掛け部１０は、基布の表面に防水コートを施した防水性シート材を用いて所定の形状に裁断され、所定の部位に縫着される。胸覆い部１は略台形状に形成され、上部の裏側に補強布１１が縫着され、その部分に、２本の吊紐４，５が縫着接続される。
【００１９】
胸覆い部１、脚覆い部２，３、及び前掛け部１０の基布には、例えばナイロン６、ナイロン６６などのポリアミド繊維製織布が使用され、基布の表面にエステル系ポリウレタン等の防水塗料がコーティングされ、防水コートのシート材となっている。なお、防水塗料には防かび剤を添加して、基布に生じやすいかびの発生を防止することもできる。
【００２０】
また、胸覆い部１の下部の両端裏面に、補強布２５，３５（図３）が縫着され、その部分に、各々金属製の留め輪６，７が縫着されている。留め輪６，７は環状部材の中間部に移動部材を架橋した構造であり、使用者の背面で襷がけにした２本の吊紐４，５をその移動部材に掛けて留め輪６，７に通すことにより、吊紐４，５を締め付けて留めることができる。
【００２１】
上述のように、胸覆い部１の下端両側に、脚覆い部２，３が下方に延設されるように縫着される。左右両側の脚覆い部２、３は、図１，２などに示す如く、その一部を相互に重ね合わせて胸覆い部１の下端部に縫着される。脚覆い部２、３の相互に重ね合わせた部分は、重ね合わせ部２３を構成している。さらに、胸覆い部１の下端部における脚覆い部２、３の前側に、前掛け部が両側の脚覆い部２，３の重ね合わせ部２３を前側から覆うように、縫着される。
【００２２】
左右両側の脚覆い部２，３は、カバー部２１，３１の下側に幅広の巻き付け部２２，３２を延設した形状に形成され、カバー部２１，３１の内側縁部から巻き付け部２２，３２の内側縁部にかけて、円弧カット部２４，３４が形成されている。カバー部２１，３１は主に使用者の腰から大腿部までを覆う形状に形成され、巻き付け部２２，３２は主に使用者の脚のふくらはぎまでを巻き付けて覆う形状に形成される。巻き付け部２２，３２は、脚の周囲に巻き付けるために、カバー部２１，３１より幅広に形成されている。
【００２３】
カバー部２１，３１の下端部において、幅広の巻き付け部２２，３２に連続して接続するために、円弧カット部２４，３４が設けており、この円弧カット部２４，３４より、脚覆い部２，３の上部のカバー部２１，３１を使用者の脚部に巻き付けて着用したとき、脚が動きやすく、使用者にはもたつき感を感じさせないようにしている。
【００２４】
前掛け部１０の幅は、胸覆い部１の下端部幅の少なくとも半分を超える幅となるように形成され、前掛け部１０の長さは、前掛け部１０が円弧カット部２４，３４を覆う程度の長さ、つまりカバー部２１，３１を覆う程度の長さとされ、これにより、前掛け部１０による重量の増加を最小に抑えながら、脚覆い部２，３の間つまり股や脚部内側を覆い、その部分の濡れを防止するようになっている。
【００２５】
脚覆い部２，３の下部を形成する巻き付け部２２、３２は、使用者の膝からふくらはぎの中程までを覆う大きさに形成され、左右両側の巻き付け部２２，３２には、巻き付け状態を止めるために、各々２本のベルト８，９が縫着されている。１本のベルト８は、脚覆い部２，３の円弧カット部２４，３４の真下位置、つまり巻き付け部２２，３２の上部側面に縫着され、さらに１本のベルト９が巻き付け部２２，３２の下部側面に縫着されている。これら２本のベルト８，９によりカバー部２１，３１と巻き付け部２２，３２の両方を、使用者の脚に確実に巻き付けるようになっている。
【００２６】
図２に示すように、各ベルト８，９は、その端部が各々巻き付け部２２、３２の内側側部に縫着され、各ベルト８，９にはその止め具として面ファスナ８３、８５、９３、９５が取着され、対をなす他方の面ファスナ８４，８６，９４，９６が、各々巻き付け部２２，３２のベルト縫着部とは反対側の側部に、取着される。これにより、脚覆い部２，３の巻き付け部２２，３２は、使用者の脚の周囲に巻き付け、ベルト８，９により容易に止めることができる。なお、ベルト８，９を止める止め具としては、面ファスナの他に、ボタン、ホック等も使用可能であるが、ベルトの止め長さを簡単に調整でき、着脱が容易な点で、面ファスナの使用が好ましい。
【００２７】
上記構成の作業用エプロンは、例えば、食品加工場の大型タンク内で、タンクの壁面を洗浄する洗浄作業の際、作業者が着用して使用される。作業用エプロンを着用する場合、胸覆い部１の上部両側に接続した吊紐４，５を、肩にかけながら、胸覆い部１の下部両側に取着した留め輪６，７に通して、吊紐４，５の両側を結ぶ。
【００２８】
このとき、図４に示すように、吊紐４，５は使用者の背中で交差させるが、この交差部分に略三角形のクロスバンド保持部材を使用すれば、吊紐の交差を容易にすることができる。そして、吊紐４，５の端部を留め輪６，７に通して留めるが、上述のように、留め輪６，７には環状部材の中間部に移動部材が設けられるから、交差した２本の吊紐４，５をその移動部材に掛けて留め輪６，７に通すことにより、吊紐４，５を簡単に締め付けて留めることができる。つまり、左右の吊紐４，５は留め輪６，７に通すのみで締付けて留めることができるため、吊紐４，５と留め輪６，７の結合はそれで完了し、その後、左右の吊紐４，５の端部を簡単に結ぶのみで吊紐４，５は容易に止めることができる。
【００２９】
次に、両側の脚覆い部２，３を使用者の脚に巻き付けて止める。このとき、脚覆い部２，３の下部の巻き付け部２２，３２を、ベルト８，９により止めるが、巻き付け部２２，３２の部分は、前掛け部１０の下側に露出しているため、容易に巻き付け部２２，３２を脚の膝の付近に巻き付け、ベルト８，９を止めることができる。ベルト８，９は、面ファスナ８４，８５、９４，９５、８３，８６、９３，９６を合わせるだけで、適度な長さで簡単に止めることができ、作業着の上からでも、作業用エプロンは容易に装着することができる。
【００３０】
大型タンクの内壁を洗浄水で洗浄する作業は、作業者が梯子を上り下りしながら行われるが、エプロン下部の脚覆い部２，３が使用者の脚に巻き付くように装着されるため、梯子の上り下りの際、エプロンの縁部が捲れたり、引っかかることなく、良好な作業性で洗浄作業を行うことができる。
【００３１】
また、胸覆い部１の下端部には、前掛け部１０が、両側の脚覆い部２，３の重ね合わせ部２３を前側から覆うように縫着されているため、胸覆い部１から伝わった水滴は前掛け部１０を伝って下方に流れ、従来のように、水滴が脚覆い部２，３の重ね合わせ部２３の縁部から、分離された脚覆い部２，３の内側に侵入することがなく、使用者の股の部分や脚の内側をぬらさずに、洗浄作業を行うことができる。
【００３２】
また、脚覆い部２，３はカバー部２１，３１の下側に幅広の巻き付け部２２，３２を延設して形成し、カバー部２１，３１の内側縁部から巻き付け部２２，３２の内側縁部にかけて円弧カット部２４，３４を形成しているから、脚覆い部２，３の上部のカバー部２１，３１を使用者の脚に巻きつけて着用しても、脚が動きやすく、使用者はもたつき感を感じずに作業を行うことができる。
【００３３】
さらに、前掛け部１０は、胸覆い部１の下端部の幅の６割ほどの幅とされ、前掛け部１０の長さは、それが脚覆い部２，３の円弧カット部２４、３４を覆う程度の長さとして、必要最小限の大きさとされ、それにより、前掛け部１０による重量の増加を最小に抑えながら、使用者の股や脚内側の濡れを効果的に防止することができる。
【００３４】
また、両側の脚覆い部２，３を止めるための各ベルト８，９は、１本を各脚覆い部２，３の円弧カット部２４，３４の真下に縫着し、さらに１本を巻き付け部２２，３２の下部付近に縫着しているから、カバー部２１、３１と巻き付け部２２，３２の両方を使用者の脚に確実に巻き付けて止めることができる。
【符号の説明】
【００３５】
１      胸覆い部
２、３  脚覆い部
４、５  吊紐
６、７  留め輪
８、９  ベルト
１０    前掛け部
２１、３１  カバー部
２２、３２  巻き付け部
２３    重ね合わせ部
２４、３４  円弧カット部
【図１】
0003173959.tif 000003
【図２】
0003173959.tif 000004
【図３】
0003173959.tif 000005
【図４】
0003173959.tif 000006
【図５】
0003173959.tif 000007
【図６】
0003173959.tif 000008